(57)【要約】【課題】長期にわたって耐食性能に優れた、管部材の接合体、及び接合体を備えた冷凍サイクル装置を提供すること。【解決手段】外周面に内嵌管犠牲防食層５３を有する内嵌管部材５０と、内嵌管部材５０に外嵌めされ、外周面に外嵌管犠牲防食層６３を有する外嵌管部材６０とを備え、内嵌管部材５０と外嵌管部材６０とは、ロウ付け接合されるとともに、内嵌管犠牲防食層５３及び外嵌管犠牲防食層６３は防食作用を有し、前記ロウ付け時に形成されたロウ材フィレット７０、内嵌管犠牲防食層５３、外嵌管犠牲防食層６３の順で、腐食電位が低くなるので、最も腐食電位の低い外嵌管犠牲防食層６３が優先的に腐食して内嵌管犠牲防食層５３の腐食が抑制され、ロウ付け接合部の流体漏洩を防止して、長期にわたって耐食性能を保つことができる。【選択図】図４
2014020704.tif 000002
【特許請求の範囲】
【請求項１】
外周面に内嵌管犠牲防食層を有する内嵌管部材と、前記内嵌管部材に外嵌めされ、外周面に外嵌管犠牲防食層を有する外嵌管部材とを備え、前記内嵌管部材と前記外嵌管部材とは、ロウ付け接合されるとともに、前記内嵌犠牲防食層及び前記外嵌犠牲防食層は防食作用を有し、前記ロウ付け時に形成されたロウ材フィレット、前記内嵌犠牲防食層、前記外嵌犠牲防食層の順で、腐食電位が低くなることを特徴とする管部材の接合体。
【請求項２】
前記内嵌管犠牲防食層と前記ロウ材フィレットとの間の腐食電位差は、前記内嵌管犠牲防食層部材と前記外嵌管犠牲防食層との間の腐食電位差よりも小さいことを特徴とする請求項１に記載の管部材の接合体。
【請求項３】
請求項１または２に記載の管部材の接合体を、冷媒が流通する冷媒管同士の接合箇所に備えることを特徴とする、冷凍サイクル装置の熱交換器。
【発明の詳細な説明】
【技術分野】
【０００１】
本発明は、管部材の接合体およびこれを備えた冷凍サイクル装置の熱交換器に関するものである。
【背景技術】
【０００２】
従来、冷凍サイクル装置として、特に空気調和機では、フィンチューブ型の室外熱交換器及び室内熱交換器の夫々の内部に配設される冷媒管、並びに、これら室内外の熱交換器の間を接続する冷媒管として、銅又は銅合金で形成された管部材を使用することが主流である。
【０００３】
しかしながら、軽量化や低コスト化といった要望から、近年ではアルミニウム又はアルミニウム合金で形成した管部材が使用され、銅または銅合金より耐食性が劣るアルミニウムまたはアルミニウム合金の耐食性を向上させるため、管の外表面にアルミニウムより電位が卑な犠牲防食層を設けることが提案されている（例えば、特許文献１参照）。
【０００４】
また、アルミニウム合金で形成した管部材のロウ付け接合部の防食性を向上させるための方法も提案されている（例えば、特許文献２参照）。
【０００５】
これは、パラレルフロー型熱交換器のロウ付け接合部の防食性を向上させる方法として、Ｓｉ粉末とＺｎを含有したフッ化物系フラックスとバインダとを塗布した伝熱管をヘッダーに組み付けて、炉中ロウ付けし、ロウ付けによってヘッダーと伝熱管との間に、伝熱管表面の電位が相対的に２０ｍＶ以上卑となる接合部フィレットを形成することで、フィレットが防食されるというものである。
【先行技術文献】
【特許文献】
【０００６】
【特許文献１】特開２０１０−８５０６６号公報
【特許文献２】特開２００９−１３９０５２号公報
【発明の概要】
【発明が解決しようとする課題】
【０００７】
しかしながら、前記従来の構成では、犠牲防食層が外周面に形成された管部材を、他の管部材に内嵌接合した場合、その接合箇所の経年腐食によって、接合箇所に隙間が形成され、流体が漏洩してしまうという課題を有していた。
【０００８】
図７は、従来の犠牲防食層を設けたアルミニウムまたはアルミニウム合金製の管を用いた伝熱管（外嵌管部材）及びベンド管（内嵌管部材）のロウ付け接合箇所において、（ａ）初期状態、（ｂ）経年腐食により隙間が形成された漏洩状態、を説明するための模式断面図である。
【０００９】
図７（ａ）に示す接合体１００は、アルミニウム合金製の第１管部材１１０の開口端部１１１に、同様に第１管部材１１０と同一素材のアルミニウム合金製の第２管部材１２０の開口端部１２１を外嵌させ、両者をロウ材１３０によってロウ付けした構成になっている。
【００１０】
また、各管部材１１０、１２０の外表面上には、これらよりも電気的に卑な金属から成る犠牲防食層１１２、１２２が形成されている。従って、上記ロウ材１３０は、第１管部
材１１０に対してはその犠牲防食層１１２の外表面に接続した状態になっている。
【００１１】
このような接合体１００の場合、犠牲防食層１１２は、これに接触する第１管部材１１０及び第２管部材１２０よりも電気的に卑であり、かつ、一般にはロウ材１３０に対しても電気的に卑である。
【００１２】
この構成においては、接合体１００表面に、腐食因子（例えば水と塩分）が接触し、犠牲防食層１１２及び１２２と、ロウ材１３０が電気的に繋がり腐食電池が形成されると、ロウ材１３０より卑な犠牲防食層１１２及び１２２が優先的に腐食する。
【００１３】
ここで、図７（ｂ）に示すように、犠牲防食層１１２の腐食が進行すると、初期状態では第１管部材１１０及び第２管部材１２０の間に挟まれて存在していた部分１１２ａが、腐食により消滅して隙間１１４が形成されてしまう可能性がある。この場合、隙間１１４を介して流体が外部へ漏洩してしまう。
【００１４】
本発明は、このような前記従来の課題を解決するもので、経年腐食においても管部材の接続箇所から流体が漏洩することを防止し、長期にわたって耐食性能を保つことが可能な管部材の接合体、および冷凍サイクル装置の熱交換器を提供することを目的とする。
【課題を解決するための手段】
【００１５】
前記従来の課題を解決するために、本発明の管部材の接合体は、外周面に内嵌管犠牲防食層を有する内嵌管部材と、前記内嵌管部材に外嵌めされ、外周面に外嵌管犠牲防食層を有する外嵌管部材とを備え、前記内嵌管部材と前記外嵌管部材とは、ロウ付け接合されるとともに、前記内嵌犠牲防食層及び前記外嵌犠牲防食層は防食作用を有し、前記ロウ付け時に形成されたロウ材フィレット、前記内嵌犠牲防食層、前記外嵌犠牲防食層の順で、腐食電位が低くなることを特徴とする。
【００１６】
これにより、接合体表面に塩分等が付着し、結露などにより接合体全体に水分が付着して腐食電池が形成された場合でも、外嵌管犠牲防食層は内嵌管犠牲防食層と比較して腐食電位が卑であるため、外嵌管犠牲防食層が優先的に腐食することになる。よって、内嵌管犠牲防食層の腐食が抑制され、ロウ付け接合部の犠牲防食層消失による管内からの流体漏洩を防止し、長期にわたって耐食性能を保つことができる。
【発明の効果】
【００１７】
本発明は、長期に耐食性能に優れた管部材の接合体、及び接合体を備えた冷凍サイクル装置の熱交換器を提供することができる。
【図面の簡単な説明】
【００１８】
【図１】本発明の実施の形態１における空気調和機の構成図
【図２】同空気調和機の室外熱交換器の構成図
【図３】同空気調和機の管部材の接合体の構成を示す模式断面図
【図４】同空気調和機の接合体の構成部材における腐食電位の貴卑関係図
【図５】本発明の実施の形態１における室外熱交換器の上方模式断面図
【図６】（ａ）同接合体の表面に腐食成分と結露水が付着した際の態様図（ｂ）同犠牲防食層の犠牲腐食の進行状態を示す態様図
【図７】（ａ）従来の管部材における管接合箇所の初期状態を示す模式的断面図（ｂ）同管部材において経年腐食による隙間が形成された漏洩状態を示す模式的断面図
【発明を実施するための形態】
【００１９】
第１の発明は、外周面に内嵌管犠牲防食層を有する内嵌管部材と、前記内嵌管部材に外
嵌めされ、外周面に外嵌管犠牲防食層を有する外嵌管部材とを備え、前記内嵌管部材と前記外嵌管部材とは、ロウ付け接合されるとともに、前記内嵌犠牲防食層及び前記外嵌犠牲防食層は防食作用を有し、前記ロウ付け時に形成されたロウ材フィレット、前記内嵌犠牲防食層、前記外嵌犠牲防食層の順で、腐食電位が低くなることを特徴とする管部材の接合体である。
【００２０】
これにより、接合体表面に塩分等が付着し、結露などにより接合体全体に水分が付着して腐食電池が形成された場合でも、外嵌管犠牲防食層は内嵌管犠牲防食層と比較して腐食電位が卑であるため、外嵌管犠牲防食層が優先的に腐食することとなる。
【００２１】
よって、内嵌管犠牲防食層の腐食が抑制され、ロウ付け接合部の犠牲防食層消失による管内からの流体漏洩を防止し、長期にわたって耐食性能を確保することができる。
【００２２】
なお、ロウ付け部から離れた内嵌管部材自体の腐食に関しては、犠牲防食層が優先して腐食することによりこれを抑制できることは言うまでもない。
【００２３】
第２の発明は、特に第１の発明において、前記内嵌管犠牲防食層と前記ロウ材フィレットとの間の腐食電位差は、前記内嵌管犠牲防食層部材と前記外嵌管犠牲防食層との間の腐食電位差よりも小さいことを特徴とする管部材の接合体である。
【００２４】
これにより、ロウ材フィレット近傍の内嵌管犠牲防食層の腐食がさらに抑制され、ロウ材フィレット近傍の外嵌管部材の犠牲防食層が優先的に腐食することで、ロウ付け接合部の犠牲防食層消失による管内からの流体漏洩をより長期にわたり防止することができる。
【００２５】
なお、ロウ材フィレット近傍の外嵌管部材の犠牲防食層の腐食が進行して、管母材の合金層に腐食が到達した場合でも、管母材の下にはロウ材フィレットが位置しており、管内に対しての見かけの肉厚が十分に確保されているため、接合部周辺の外嵌管部材からの流体漏洩リスクが高まることはない。
【００２６】
第３の発明は、特に第１または２の発明における管部材の接合体を、冷媒が流通する冷媒管同士の接合箇所に備えることを特徴とする冷凍サイクル装置の熱交換器である。
【００２７】
空気調和機に代表される冷凍サイクル装置の熱交換器が備える冷媒管は、内部を冷媒が流通するので外表面に水分が凝結しやすく、この水分による接合箇所の防食が重要である。これに対し、上述したような管部材の接合体を採用することにより、犠牲防食層が腐食した場合であっても、接合箇所に管部材の内外を連通する隙間が生じることを防止することができる。従って、冷媒管の耐食性の向上を図ることができる。
【００２８】
以下、本発明の実施の形態に係る冷凍サイクル装置の一種である空気調和機について、図面を参照しながら説明する。なお、この実施の形態によって本発明が限定されるものではない。
【００２９】
（実施の形態１）
図１は、本実施の形態１にかかる空気調和機の構成を示す模式図、図２は、図１の室外熱交換器２の構成図である。
【００３０】
図１に示すように空気調和機１は、冷房運転時に外部へ排熱する第１熱交換器２（以下、「室外熱交換器２」という）と、外気から吸熱する第２熱交換器３（以下、「室内熱交換器３」という）と、これらの熱交換器を含んで構成される冷凍サイクル４とを備えている。
【００３１】
また、これら室外熱交換器２及び室内熱交換器３の近傍には、それぞれモータ５、６によって駆動するファン７、８が設けられており、ファン７、８の回転駆動により発生する気流が、室外熱交換器２、室内熱交換器３を経て流れるようになっている。
【００３２】
なお、以下の説明では便宜上、「上流」及び「下流」という表現を用いるが、これらは、空気調和機１を冷房運転したときに冷凍サイクル４での冷媒の流れにおける「上流」及び「下流」を意味するものとする。そして、図１に示す冷凍サイクル４に沿って付された矢印は、冷房運転時に冷媒が「上流」から「下流」へ流れる向きを示している。また、暖房運転をしたときの冷媒の流れは、冷房運転のときの冷媒の流れと逆向きになり、破線で示す通りである。
【００３３】
図１に示すように、室内熱交換器３内には冷凍サイクル４の一部を構成する冷媒管４ａが備えられており、その下流端からは冷媒管４ｂが延設されて室内機液側接続部１０（冷房運転時における下流側の接続部）に接続されている。この室内機液側接続部１０からは別の冷媒管４ｃが延設され、その下流端は三方弁１１を介して冷媒管４ｄの上流端に接続され、更にその下流端は四方弁１２の第１ポートに接続されている。
【００３４】
四方弁１２において、冷房運転時に第１ポートと連通する第２ポートからは冷媒管４ｅが延設され、その下流端は圧縮機１３に接続されている。この圧縮機１３は、冷房運転時においては室内熱交換器３から室外熱交換器２へ向かう低温低圧の冷媒を圧縮して高温高圧化し、暖房運転時において室外熱交換器２から室内熱交換器３へ向かう低温低圧の冷媒を圧縮して高温高圧化するものである。
【００３５】
なお、圧縮機１３の手前（上流側）には通常アキュムレータ（図示せず）が接続され、冷媒の気液分離を行って、液冷媒が圧縮機１３に戻らないようにしている。
【００３６】
また、圧縮機１３からは別の冷媒管４ｆが延設され、その下流端は、四方弁１２の第３ポートに接続されている。四方弁１２において、冷房運転時に第３のポートと連通する残りの第４ポートからは冷媒管４ｇが延設されており、その下流端は室外熱交換器２内に備えられた冷媒管４ｈの上流端に接続されている。この室外熱交換器２内の冷媒管４ｈの下流端からは別の冷媒管４ｉが延設され、その下流端は、膨張弁１４に接続されている。この膨張弁１４は、冷房運転時においては室外熱交換器２から室内熱交換器３へ向かう冷媒を降圧し、暖房運転時においては室内熱交換器３から室外熱交換器２へ向かう冷媒を降圧するものである。
【００３７】
膨張弁１４からは別の冷媒管４ｊが延設されており、その下流端は二方弁１５の一方のポートに接続されている。この二方弁１５の他方のポートからは冷媒管４ｋが延設され、その下流端は室内機接続部１６（冷房運転時における上流側の接続部）に接続されている。そして、この室内機接続部１６からは別の冷媒管４ｍが延設され、その下流端は、上述した室内熱交換器３内の冷媒管４ａの上流端に接続されている。
【００３８】
このようにして、冷媒管４ａ〜４ｋ、４ｍによって周回経路が構成されており、この周回経路によって、室内熱交換器３、四方弁１２、圧縮機１３、室外熱交換器３、膨張弁１４などが接続されている。また、上述した構成のうち、冷媒の流れに沿って三方弁１１から二方弁１５に至るまでの構成物（即ち、四方弁１２、圧縮機１３、室外熱交換器２、膨張弁１４を含む）によって、本実施の形態に係る空気調和機１の室外機１Ａが構成されている。
【００３９】
また、冷媒の流れに沿って室内機液側接続部１６から室内機液側接続部１０へ至るまで
の構成物（即ち、室内熱交換器３を含む）によって、空気調和機１の室内機１Ｂが構成されている。
【００４０】
なお、上述した各構成自体は何れも公知のものを採用することができる。また、このような空気調和機１による冷房運転及び暖房運転時の動作については公知であるため、ここではその説明を省略する。
【００４１】
図２は、図１の室外熱交換器２の具体的な構成を示す模式的斜視図である。また図２中には、室外熱交換器２の通風面の拡大断面図を破線枠内に併記する。
【００４２】
図２に示すように、本実施の形態に係る室外熱交換器２は、通風面を前後に向けるように縦置きした板状を成しており、その内部に冷媒管４ｈが蛇行配置されている。より詳しく説明すると、冷媒管４ｈの上流側端部は、四方弁１２（図１参照）から延びる冷媒管４ｇの下流側端部に接続されており、その接続直後の位置（接続箇所の下流側近傍位置）にて４つの管部材４ｈ−１〜４ｈ−４に分岐している。
【００４３】
各管部材４ｈ−１〜４ｈ−４は、室外熱交換器２の一方の側部から略水平に延設された後、他方の側部にて上下方向に折り返され、前記一方の側部へ向かって略水平に延設される。そして更に、この一方の側部にて上下方向に折り返されて、前記他方の側部へ向かって略水平に延設される。
【００４４】
このように、一方の側部と他方の側部とで夫々折り返されながら略水平に延設されることにより、各管部材４ｈ−１〜４ｈ−４は蛇行流路を形成している。また、各管部材４ｈ−１〜４ｈ−４の下流側端部は合流し、１つの下流側開口端部となって次の冷媒管４ｉの上流端に接続されるようになっている。
【００４５】
また、各管部材４ｈ−１〜４ｈ−４において、上下方向に折り返された部分（ベンド管）と略水平に延設された部分（伝熱管）とは別々の管部材２０、２１により形成され、管部材２１の通風部にフィンプレート２２を拡管密着させて、室外熱交換器２を構成する。
【００４６】
管部材２０は略Ｕ字形状を成す曲管を成している一方、管部材２１は長寸の直管を成している。
【００４７】
フィンプレート２２には、長寸の管部材２１を直行貫通させるための円形開口部をフィンプレート２２の長手方向に複数開口されており、さらに円形開口部には、フィンプレート２２積層時に一定の隙間を確保するためのカラー２３が設けられており、またフィンプレート２２表面には、空気通過時の熱伝達率を高める目的で表面積を高めるための凹凸形状が設けられている。
【００４８】
さらに、暖房運転時に管部材２１及びフィンプレート２２の表面に結露する水分の排水を促すため親水性表面処理が施されている。
【００４９】
フィンプレート２２を、管部材２１の通風部位に連通積層したのち、管部材２１を管内から均等に拡管し、フィンプレート２２の円形開口部のカラー２３に対し密接固定することで、管部材２１とフィンプレート２２が、相互に伝熱する体をなす。
【００５０】
フィンプレート２２を固定したのち、直管状の管部材２１の端部開口に対し、曲管状の管部材２０の端部開口が内嵌した状態で、両者をロウ付けにより接合することで、管部材２１内を流通する冷媒と、フィンプレート２２を通過する空気との間で熱交換する機能を得ることができる。
【００５１】
なお、冷房暖房運転を兼用する室外熱交換器２においては、フィンプレート２２の親水性表面処理は、暖房時の熱交換性能確保の上で必須である。
【００５２】
ここで、フィンプレート２２を管部材２１に組み込んだ後、さらに管部材２０を、管部材２１に組み付けて、全体にロウ材を吹きつけ、炉中において各部材の嵌合隙間をロウ付けする。炉中ロウ付けの工法は、フィンプレート２２の親水性表面処理にダメージを与えることから、用いることができない。そのため、管部材２０と管部材２１のロウ付け接合は、接合部個々にロウ付けする必要がある。
【００５３】
なお、説明の便宜上、上記のように管部材２１の端部開口に内嵌する管部材２０を「内嵌管部材」と称し、これに対して外嵌する前記管部材２１を「外嵌管部材」と称することとする。
【００５４】
本実施の形態に係る室外熱交換器２では、上述した「内嵌管部材」と「外嵌管部材」として、アルミニウム製またはアルミニウムの機械的特性を改善するために微量の金属元素を１種類以上配合したアルミニウム合金製の管部材で熱交換器を構成する。そして、アルミニウム製またはアルミニウム合金製の管部材同士の接合箇所に対し、本願発明に係る接合体の構成を採用している。
【００５５】
また、このような接合箇所以外にも、図２の円形実線で囲んだ箇所Ｐ、即ち、１本の管部材に対してもう１本の管部材を延長接合した箇所であって、特に、室外熱交換器２の側部から外方に突出して位置する接合箇所には、本発明に係る接合体に採用することができる。
【００５６】
以下、本発明にかかる接合体及び接合方法について詳述する。
【００５７】
図３は、本実施の形態における管部材の接合体４０の構成を示す模式的断面図、図４は、本実施の形態における接合体の構成部材における腐食電位の貴卑関係図、図５は、本実施の形態における室外熱交換器の上方模式断面図、図６は、本発明の実施の形態における犠牲腐食層の態様図である。
【００５８】
この接合体４０は、管部材２０として採用可能な、母材としてアルミニウム製またはアルミニウム合金製の内嵌管部材５０の開口端部５１に対し、管部材２１として採用可能な、同じくアルミニウム製またはアルミニウム合金製の外嵌管部材６０の開口端部６１を、外嵌接合して構成されている。内嵌管部材５０は、母材であるアルミニムの腐食（特に孔食）を防ぐ目的で、管の外周面５２に対して、内嵌管犠牲防食層５３が被覆して設けられている。
【００５９】
一方、外嵌管部材６０は、他の部分より拡径された開口端部６１を有し、開口端部６１は、内嵌管犠牲防食層５３で被覆された状態の内嵌管部材５０の外径寸法と略同一の内径寸法Ｄ１を有している。また、開口端部６１における開口端６１ａ付近は更に拡径されている。具体的には、断面視で略円弧状を成すように、開口端６１ａへ向かうに従って内径寸法がより大きくなるように拡径し、開口端６１ａの内径は寸法Ｄ２（＞Ｄ１）となっている。この外嵌管部材６０においても、母材であるアルミニウムの腐食（特に孔食）を防ぐ目的で、管の外周面６２に外嵌管犠牲防食層６３が被覆して設けられている。
【００６０】
図３に示す接合体４０では、上述した内嵌管部材５０の開口端部５１に対し、外嵌管部材６０の開口端部６１が外嵌されており、両方の内嵌管部材開口端部５１と外嵌管部材６０との間は、ロウ材フィレット７０によって接続されている。
【００６１】
以下、前記内嵌管犠牲防食層５３、外嵌管犠牲防食層６３、及びロウ材フィレット７０において詳しく説明する。
【００６２】
内嵌管犠牲防食層５３及び、外嵌管犠牲防食層６３は、管表面に水が存在する状態で、海塩粒子由来の塩分などの腐食因子が付着した場合に、母材であるアルミニウムが局部的に溶解する代わりに、管母材であるアルミニウムより腐食しやすい役割を果たす防食層である。
【００６３】
具体的には、管母材であるアルミニウムより、電位が卑（腐食し易い）の金属成分を所定量配合させることで、犠牲防食効果を得る。配合させる成分としては、亜鉛を用いることが公知である。亜鉛は、鋼板の防食メッキとしても使用されており、犠牲防食金属として汎用性が高い。
【００６４】
本発明にかかる管の接合体においては、内嵌管犠牲防食層５３、外嵌管犠牲防食層６３、及びロウ材フィレット７０の各電位の順位を、図４に示すように、ロウ材フィレット７０、内嵌管犠牲防食層５３、外嵌管犠牲防食層６３の順番で電位が低くなる構成としている。
【００６５】
また、本実施の形態では、前記ロウ材フィレット７０と内嵌管犠牲防食層５３との間の電位差（電位差Ａと呼ぶ）と、内嵌管犠牲防食層５３と外嵌管犠牲防食層６３の電位差（電位差Ｂと呼ぶ）において、電位差Ａより、電位差Ｂの方が差分の絶対値が大きい構成としている。
【００６６】
なお、内嵌管犠牲防食層５３と、外嵌管犠牲防食層６３の電位の大小関係を制御する方法としては、亜鉛の添加量で制御することが可能である。
【００６７】
なお、アルミニウムロウ材として用いる４０００番系のアルミニウム合金の亜鉛成分量は、極微量であり、またロウ付け時には、内嵌管犠牲防食層５３の表面と、液相化したアルミニウムロウ材が接触することにより、内嵌管犠牲防食層５３中の亜鉛が一部熱拡散するが、亜鉛成分量の観点から、内嵌管犠牲防食層５３の電位よりも、ロウ材フィレット７０の電位が常に高くなることは言うまでもない。
【００６８】
上記のように構成された接合体において、以下に動作、作用を説明する。
【００６９】
図５は、室外熱交換器２を収納する室外機筐体８０の上部断面模式図である。接合体４０の部位は、四方弁１２、圧縮機１３、膨張弁１４と同じ、機械室８１内に位置しており、ファン７の運転による送風空気が直接当たらない。ただし、機械室８１の壁面には、部品合わせ部など僅かな隙間は存在するため、自然対流の影響を受けて、外気の浮遊塩分が少量侵入し、接合体４０の表面にも付着する。
【００７０】
また、接合体４０は機械室８１内に位置するため、雨水などが直接付着することはなく、さらに、冷房運転時は、管部材２０、２１は外気より高温となっており、管表面は乾燥状態を保つ。しかしながら暖房運転時には、管部材２０、２１は外気より低温となることから、空気中の水分が管部材２０、２１表面に結露し、接合体４０表面にも結露による水膜が形成される。
【００７１】
この結露による水膜により、金属表面に、塩分などの導電成分と、導電の媒体となる水分が両方存在することになる。この導電成分と媒体が金属表面で腐食電池を形成し、金属表面がイオン化して溶解し、腐食現象が進行する。
【００７２】
ここで、図６（ａ）は、同接合体の表面に腐食成分と結露水が付着した際の態様図、図６（ｂ）は、同犠牲防食層の犠牲腐食の進行状態を示す態様図である。
【００７３】
このように、暖房運転時においては、図６（ａ）に示すように、接合体４０が結露による水膜に覆われ、内嵌管犠牲防食層５３、ロウ材フィレット７０、外嵌管犠牲防食層６３が水膜で繋がった状態となり、付着した塩分と合わさって腐食が進行する。
【００７４】
このような場合、接合体４０の構成部位において、図４に示すように、ロウ材フィレット７０、内嵌管犠牲防食層５３、外嵌管犠牲防食層６３は、この順でそれぞれの表面の腐食電位が低くなることを特徴とする。このため、図６（ｂ）に示すように腐食電位が最も低い外嵌管犠牲防食層６３が優先的に腐食することになる。
【００７５】
また、優先的に腐食する外嵌管犠牲防食層６３が存在する限り、内嵌管犠牲防食層５３の腐食進行は抑制される。また、ロウ材フィレット７０の腐食電位は、内嵌管犠牲防食層５３、外嵌管犠牲防食層６３と比較して高くなるように構成されていることから、ロウ材フィレット７０の腐食の進行も抑制される。
【００７６】
さらに、前記ロウ材フィレット７０と内嵌管犠牲防食層５３との間の電位差Ａよりも、内嵌管犠牲防食層５３と外嵌管犠牲防食層６３の電位差Ｂの方が大きくなるように構成されていることから、外嵌管犠牲防食層６３が優先的に腐食し、内嵌管犠牲防食層５３の腐食をさらに抑制することができる。
【００７７】
このように、外嵌管犠牲防食層６３が優先的に腐食されることで、管の接合部分で内外が連通し、そこから流体が漏洩することを防止することができる。
【００７８】
よって、以上の構成によれば、接合体４０における長期的な耐食性能を高めることができる。
【産業上の利用可能性】
【００７９】
本発明は、管部材の接合体、及び接合体を備える熱交換器に適用することができる。
【符号の説明】
【００８０】
４    冷凍サイクル
４０  接合体
５０  内嵌管部材
６０  外嵌管部材
５３  内嵌管犠牲防食層
６３  外嵌管犠牲防食層
７０  ロウ材フィレット
【図１】
2014020704.tif 000003
【図２】
2014020704.tif 000004
【図３】
2014020704.tif 000005
【図４】
2014020704.tif 000006
【図５】
2014020704.tif 000007
【図６】
2014020704.tif 000008
【図７】
2014020704.tif 000009